(57)【要約】【課題】  夜間等、音を立てることが望ましくない時間帯において、サービスコール（装置の異常）が発生した際に再起動を行い、初期化動作に伴う音が発生することを防ぐことが可能な画像読取装置を提供する。【解決手段】  自動再起動が有効である場合、画像読取装置は、装置の異常（サービスコール）を検出し、自動で再起動する条件が整ったと判断する（ステップＳ１）。画像読取装置は、自動再起動の設定を確認し、再起動防止が有効の場合は（ステップＳ２／ＹＥＳ）開始・終了時間が設定されているか確認する（ステップＳ３）。設定されている場合は（ステップＳ３／ＹＥＳ）、サービスコールが発生した時刻を確認し、それが設定された開始時間と終了時間に含まれている場合は（ステップＳ４／ＹＥＳ）パネル上にサービスコールを表示する（ステップＳ６）。ブザー音が「なし」の場合は（ステップＳ７／ＮＯ）ブザーを鳴らさない。【選択図】  図３
2006352482.tif 000002
【特許請求の範囲】
【請求項１】
装置の異常を検知する手段と、
前記異常検知の際に装置の再起動を自動で行う再起動制御手段と、
前記異常検知の時間を計算する手段と、
前記再起動を有効とする時間帯を設定する手段と、
前記検知時間と前記設定時間帯を比較する手段と、を有し、
前記再起動制御手段は、前記比較手段の比較結果によって再起動を行うか否か制御することを特徴とする画像読取装置。
【請求項２】
前記再起動の有無を切り替える切替え手段を有することを特徴とする請求項１記載の画像読取装置。
【請求項３】
前記異常検知手段は、異常検知のブザー音の有無を設定することを特徴とする請求項１又は２記載の画像読取装置。
【請求項４】
前記再起動を有効とする時間帯を、過去の装置の稼動状況から判断し、自動設定する手段を有することを特徴とする請求項１から３のいずれか１項に記載の画像読取装置。
【請求項５】
前記自動設定手段は、過去どのくらいの期間から稼動状況のデータを収集し判断するのかを設定することを特徴とする請求項１から４のいずれか１項に記載の画像読取装置。
【請求項６】
前記自動設定手段は、何時間以上の非稼動の時間帯があった場合に非稼動とするかを設定することを特徴とする請求項１から５のいずれか１項に記載の画像読取装置。
【請求項７】
装置の異常を検知する工程と、
前記異常検知の際に装置の再起動を自動で行う再起動制御工程と、
前記異常検知の時間を計算する工程と、
前記再起動を有効とする時間帯を設定する工程と、
前記検知時間と前記設定時間帯を比較する工程と、を有し、
前記再起動制御工程は、前記比較工程の比較結果によって再起動を行うか否か制御することを特徴とする画像読取装置異常回復方法。
【請求項８】
前記再起動の有無を切り替える切替え工程を有することを特徴とする請求項７記載の画像読取装置異常回復方法。
【請求項９】
前記異常検知工程は、異常検知のブザー音の有無を設定することを特徴とする請求項７又は８記載の画像読取装置異常回復方法。
【請求項１０】
前記再起動を有効とする時間帯を、過去の装置の稼動状況から判断し、自動設定する工程を有することを特徴とする請求項７から９のいずれか１項に記載の画像読取装置異常回復方法。
【請求項１１】
前記自動設定工程は、過去どのくらいの期間から稼動状況のデータを収集し判断するのかを設定することを特徴とする請求項７から１０のいずれか１項に記載の画像読取装置異常回復方法。
【請求項１２】
前記自動設定工程は、何時間以上の非稼動の時間帯があった場合に非稼動とするかを設定できることを特徴とする請求項７から１１のいずれか１項に記載の画像読取装置異常回復方法。
【請求項１３】
装置の異常を検知する処理と、
前記異常検知の際に装置の再起動を自動で行う再起動制御処理と、
前記異常検知の時間を計算する処理と、
前記再起動を有効とする時間帯を設定する処理と、
前記検知時間と前記設定時間帯を比較する処理と、をコンピュータに実行させ、
前記再起動制御処理は、前記比較処理の比較結果によって再起動を行うか否か制御することを特徴とする画像読取装置異常回復プログラム。
【請求項１４】
前記再起動の有無を切り替える切替え処理をコンピュータに実行させることを特徴とする請求項１３記載の画像読取装置異常回復プログラム。
【請求項１５】
前記異常検知処理は、異常検知のブザー音の有無を設定することを特徴とする請求項１３又は１４記載の画像読取装置異常回復プログラム。
【請求項１６】
前記再起動を有効とする時間帯を、過去の装置の稼動状況から判断し、自動設定する処理をコンピュータに実行させることを特徴とする請求項１３から１５のいずれか１項に記載の画像読取装置異常回復プログラム。
【請求項１７】
前記自動設定処理は、過去どのくらいの期間から稼動状況のデータを収集し判断するのかを設定することを特徴とする請求項１３から１６のいずれか１項に記載の画像読取装置異常回復プログラム。
【請求項１８】
前記自動設定処理は、何時間以上の非稼動の時間帯があった場合に非稼動とするかを設定することを特徴とする請求項１３から１７のいずれか１項に記載の画像読取装置異常回復プログラム。
【発明の詳細な説明】
【技術分野】
【０００１】
本発明は、画像読取装置、画像読取装置異常回復方法及びそのプログラムに関し、特に異常発生時の対処及び初期動作に伴う音の発生を防止する画像読取装置、画像読取装置異常回復方法及びそのプログラムに関する。
【背景技術】
【０００２】
従来、オフィスなどに設置された画像読取装置において、装置に異常が発生した場合に迅速に故障に対応し、異常を検知する（サービスコール）技術が提案されている（特許文献１）。しかし、異常発生時に常にユーザが居るとは限らず、ユーザがサービスコールに気付かずに異常状態が継続し、装置異常の発見が遅れることが多々ある。
【０００３】
そこで近年、異常が発生した場合に装置が自己回復する技術として、一定時間が経過すると自動初期化する技術（特許文献２）や、異常に関する情報を自動収集して再起動することにより異常回復を可能とする技術（特許文献３）が提案されている。
【特許文献１】特開２０００−２６７５１６号公報
【特許文献２】特開平８−２２７３２７号公報
【特許文献３】特開平１１−１８４３２５号公報
【発明の開示】
【発明が解決しようとする課題】
【０００４】
しかしながら、上記の技術では、サービスコールや初期化、再起動の際の動作音が夜間等、音を立てることが望ましくない時間帯において発生するという問題が生じていた。
【０００５】
本発明は、このような状況に鑑みてなされたものであり、係る不具合を解決することを前提とし、夜間等に音が発生することを防ぐことを目的とする。
【課題を解決するための手段】
【０００６】
請求項１記載の発明は、装置の異常を検知する手段と、前記異常検知の際に装置の再起動を自動で行う再起動制御手段と、前記異常検知の時間を計算する手段と、前記再起動を有効とする時間帯を設定する手段と、前記検知時間と前記設定時間帯を比較する手段と、を有し、前記再起動制御手段は、前記比較手段の比較結果によって再起動を行うか否か制御することを特徴とする画像読取装置である。
【０００７】
請求項２記載の発明は、請求項１記載の装置において、前記再起動の有無を切り替える切替え手段を有することを特徴とする。
【０００８】
請求項３記載の発明は、請求項１又は２記載の装置において、前記異常検知手段は、異常検知のブザー音の有無を設定できることを特徴とする。
【０００９】
請求項４記載の発明は、請求項１から３のいずれか１項に記載の装置において、前記再起動を有効とする時間帯を、過去の装置の稼動状況から判断し、自動設定する手段を有することを特徴とする。
【００１０】
請求項５記載の発明は、請求項１から４のいずれか１項に記載の装置において、前記自動設定手段は、過去どのくらいの期間から稼動状況のデータを収集し判断するのかを設定することを特徴とする。
【００１１】
請求項６記載の発明は、請求項１から５のいずれか１項に記載の装置において、前記自動設定手段は、何時間以上の非稼動の時間帯があった場合に非稼動とするかを設定することを特徴とする。
【００１２】
請求項７記載の発明は、装置の異常を検知する工程と、前記異常検知の際に装置の再起動を自動で行う再起動制御工程と、前記異常検知の時間を計算する工程と、前記再起動を有効とする時間帯を設定する工程と、前記検知時間と前記設定時間帯を比較する工程と、を有し、前記再起動制御工程は、前記比較工程の比較結果によって再起動を行うか否か制御することを特徴とする画像読取装置異常回復方法である。
【００１３】
請求項８記載の発明は、請求項７記載の方法において、前記再起動の有無を切り替える切替え工程を有することを特徴とする。
【００１４】
請求項９記載の発明は、請求項７又は８記載の方法において、前記異常検知工程は、異常検知のブザー音の有無を設定することを特徴とする。
【００１５】
請求項１０記載の発明は、請求項７から９のいずれか１項に記載の方法において、前記再起動を有効とする時間帯を、過去の装置の稼動状況から判断し、自動設定する工程を有することを特徴とする。
【００１６】
請求項１１記載の発明は、請求項７から１０のいずれか１項に記載の方法において、前記自動設定工程は、過去どのくらいの期間から稼動状況のデータを収集し判断するのかを設定することを特徴とする。
【００１７】
請求項１２記載の発明は、請求項７から１１のいずれか１項に記載の方法において、前記自動設定工程は、何時間以上の非稼動の時間帯があった場合に非稼動とするかを設定することを特徴とする。
【００１８】
請求項１３記載の発明は、装置の異常を検知する処理と、前記異常検知の際に装置の再起動を自動で行う再起動制御処理と、前記異常検知の時間を計算する処理と、前記再起動を有効とする時間帯を設定する処理と、前記検知時間と前記設定時間帯を比較する処理と、をコンピュータに実行させ、前記再起動制御処理は、前記比較処理の比較結果によって再起動を行うか否か制御することを特徴とする画像読取装置異常回復プログラムである。
【００１９】
請求項１４記載の発明は、請求項１３記載のプログラムにおいて、前記再起動の有無を切り替える切替え処理をコンピュータに実行させることを特徴とする。
【００２０】
請求項１５記載の発明は、請求項１３又は１４記載のプログラムにおいて、前記異常検知処理は、異常検知のブザー音の有無を設定することを特徴とする。
【００２１】
請求項１６記載の発明は、請求項１３から１５のいずれか１項に記載のプログラムにおいて、前記再起動を有効とする時間帯を、過去の装置の稼動状況から判断し、自動設定する処理をコンピュータに実行させることを特徴とする。
【００２２】
請求項１７記載の発明は、請求項１３から１６のいずれか１項に記載のプログラムにおいて、前記自動設定処理は、過去どのくらいの期間から稼動状況のデータを収集し判断するのかを設定することを特徴とする。
【００２３】
請求項１８記載の発明は、請求項１３から１７のいずれか１項に記載のプログラムにおいて、前記自動設定処理は、何時間以上の非稼動の時間帯があった場合に非稼動とするかを設定することを特徴とする。
【発明の効果】
【００２４】
本発明によれば、夜間等、音を立てることが望ましくない時間帯において、サービスコール（装置の異常）が発生した際に再起動を行い、初期化動作に伴う音が発生することを防ぐことが可能となる。
【発明を実施するための最良の形態】
【００２５】
以下に、本発明の実施形態に係る画像読取装置、画像読取装置異常回復方法及びそのプログラムを、図面を用いて詳細に説明する。
【００２６】
図１は、本発明の実施形態に係る画像読取装置全体の概略図である。図１を用いて画像形成の際の動作を説明する。
【００２７】
画像読取装置上部の自動原稿送り装置（以後ＡＤＦ）１にある、原稿台２に原稿の画像面を上にして置かれた原稿束は、操作部上のプリントキーが押下されると、一番下の原稿から給送ローラ３、給送ベルト４によってコンタクトガラス６上の所定の位置に給送される。一枚の原稿を給送完了により原稿枚数をカウントアップするカウント機能を有している。読み取りユニット５０によってコンタクトガラス６上の給送された原稿の画像データを読み取る。読み取りが終了した原稿は、給送ベルト４及び排送ローラ５によって排出される。さらに、原稿セット検知７にて原稿台２に次の原稿が有ることを検知した場合、次の原稿は前原稿と同様にコンタクトガラス６上に給送される。
【００２８】
画像読取装置の原稿読み取りから、画像の書き込みまでを説明する。読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー及び第３ミラー５５は図示しない第２キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。書き込みユニット５６はレーザ出力ユニット５７、結像レンズ５９、ミラー６０で構成され、レーザ出力ユニット５７の内部には、レーザ光源であるレーザダイオード及びモータによって高速で定速回転する多角形ミラー（ポリゴンミラー）が備わっている。書き込みユニット５６から出力されるレーザ光が、画像作像系の感光体１５に照射される。図示しないが感光体１５の一端近傍のレーザビームを照射される位置に、主走査同期信号を発生するビームセンサが配置されている。
【００２９】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。レーザ出力ユニット５７からのレーザが結像レンズ５９を通り、ミラー５９に反射する。書き込みユニット５６からのレーザによって、読み取りユニット５０で読み込まれた画像データは、感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３０】
後処理装置のフィニシャ１００は、本体の排紙ユニット１８によって搬送された転写紙を、通常排紙搬送ローラ１０２方向と、ステープル処理部方向へ導く事ができる。分岐偏向板１０１を上に切り替える事により、排紙搬送ローラ１０２を経由して通常排紙トレイ１０３側に排紙する事ができる。また、分岐偏向板１０１を下方向に切り替える事で、ステープラ搬送ローラ１０４を経由して、ステープル・トレイ１０６に搬送する事ができる。ステープル・トレイ１０６に積載された転写紙は、一枚排紙されるごとに紙揃え用のジョガー１０７によって、紙端面が揃えられ、一部のコピー完了と共にステープラ１０５によって綴じられる。ステープラ１０５で綴じられた転写紙群は自重によって、ステープル完了排紙トレイ１０８に収納される。一方、通常の排紙トレイ１０３は前後に移動可能な排紙トレイである。前後に移動可能な排紙トレイ１０３は、原稿毎、あるいは、画像メモリによってソーティングされたコピー部毎に、前後に移動し、簡易的に排出されてくるコピー紙を仕分けるものである。
【００３１】
転写紙の両面に画像を作像する場合は、各給紙トレイ８〜１０から給紙され作像された転写紙を排紙トレイ１０３側に導かないで、経路切替えの為の分岐偏向板１０１を上側にセットする事で、両面入紙搬送路１１１を通り、反転ユニット１１０へ送られる。反転ユニット１１０で反転した後、両面搬送ユニット１０９にストックされた転写紙は再び感光体１５に作像されたトナー画像を転写するために、両面搬送ユニット１０９から再給紙される。トナー画像を転写した後、経路切替えの為の分岐偏向板１０１を下側にセットし、排紙トレイ１０３に導く。この様に転写紙の両面に画像を作成する場合に両面搬送ユニット１１１は使用される。
【００３２】
電源オン時は、各部の初期化が行われる。例えば、定着ユニット１７を備えた画像読取装置の場合、電源オン時には、定着装置の定着温度が定着可能な温度（設定温度）になるまでプレ回転を行い、定着ローラ表面温度の均一化を図る。その他、スキャナのホームポジションへの移動等が行われる。再起動時も基本的には電源オン時の初期化動作と同様の動作が行われる。なお、これら初期化の動作により動作音が発生する。
【００３３】
図２に本発明の実施形態に係る画像読取装置の動作制御及び画像データの制御に関する部分のブロック図を示す。制御部２０はＣＰＵ２１とＣＰＵ２１を動作させるためのプログラムを格納するＲＯＭ２２、プログラム用ワークＲＡＭ２３、制御、タイミングなどの調整値及び登録した複写モード設定を格納し電源を切ってもデータを保持しておく事が可能な不揮発ＲＡＭ２４、及びデジタル複写機の各センサ３７の入力を元に、負荷３８などを制御するＩＯ制御２５などにより構成される。また、外部ホストと接続するためのネットワークコントロールユニット（ＮＣＵ）３９、公衆回線を介してファクシミリ機能を実現するためのファクシミリコントロールユニット（ＦＣＵ）４０を備えている。
【００３４】
一方画像データについてはＡＤＦ１により原稿がコンタクトガラス６上に供給されると読取り部３５により画像データが読み取られる。読み取られた画像データは操作部１０に設定されたモードに応じて画像処理３２によりＭＴＦ補正、変倍処理、画質補正等を行った後で画像データ用ＲＡＭ３３及びＨＤＤを制御するためのＨＤＤコントローラ３１を介してＨＤＤ３４に蓄えられる。ここで画像データ用ＲＡＭ３３及びＨＤＤ３４の両方に画像を蓄積するのは、画像データ用ＲＡＭ３３はＡ４原稿にして５枚程度の容量しかないが、コピー開始時には原稿の枚数はまだわからないので複数部のソートコピーを取る場合に原稿が５枚を超えてしまう場合には２部目以降のコピー動作を行う時にＨＤＤ３４から画像データを画像データ用ＲＡＭ３３にコピーしてコピー動作を行う事によりソート動作を実現する。また用紙がジャムしてしまった場合のリカバリ動作にも使用される。そして書き込み部３６により給紙トレイ８〜１０から給紙された用紙のタイミングに応じて書き込みを行う。
【００３５】
図３は、本発明の実施形態に係る画像読取装置がサービスコール（装置の異常）を検知した場合の動作を示したフローチャートである。自動再起動が有効である場合、画像読取装置は、装置の異常（サービスコール）を検出し、自動で再起動する条件が整ったと判断する（ステップＳ１）。画像読取装置は、自動再起動の設定を確認し、再起動防止は有効(手動設定)であるか確認する（ステップＳ２）。自動再起動制御の有効・無効を切り替えることにより、ユーザ（もしくはサービスマン）が望む制御を選択できる。有効でない場合は（ステップＳ１／ＮＯ）、通常通りに再起動する（ステップＳ５）。有効の場合は（ステップＳ２／ＹＥＳ）開始・終了時間が設定されているか確認する（ステップＳ３）。時間設定により、制御をユーザ（もしくはサービスマン）が望む時間帯のみ有効とすることができる。設定されている場合は（ステップＳ３／ＹＥＳ）、サービスコールの発生した時刻を確認し、それが設定された開始時間と終了時間に含まれているかを確認する（ステップＳ４）。設定時間外である場合は（ステップＳ４／ＮＯ）通常通り再起動する（ステップＳ５）。時間内である場合は（ステップＳ４／ＹＥＳ）パネル上にサービスコールを表示する（ステップＳ６）。時間設定がなされていない場合は（ステップＳ３／ＮＯ）、パネル上にサービスコールを表示する（ステップＳ６）。画像読取装置は、ブザー音の設定を確認し、ブザー音が「なし」の場合は（ステップＳ７／ＮＯ）ブザーを鳴らさない。画像読取装置は、パネル上にサービスコールを表示して停止することとなる。したがって音を立てることが望ましくない時間帯において、装置から不要な音を発生させず、異常を通知することが可能となる。ブザー音「あり」と設定されていた場合は（ステップＳ７／ＹＥＳ）、ブザー音を鳴らす（ステップＳ８）。
【００３６】
本実施形態では、設定及び状況が例として以下のようになっていた場合の動作を具体的に考える。
（設定）
自動再起動    ：  有効(手動設定)
開始時間      ：  23:00
終了時間      ：  7:00
ブザー音      ：  なし
（状況）
サービスコールの発生時刻    ：  23:30
自動再起動は有効であるため、画像読取装置は、装置の異常（サービスコール）を検出し、自動で再起動する条件が整ったと判断する（ステップＳ１）。自動再起動防止の設定は有効(手動設定)である（ステップＳ２／ＹＥＳ）。開始・終了時間が２３時から７時に設定されており（ステップＳ３／ＹＥＳ）、サービスコールの発生した時刻は２３時３０分であるため、設定時間に含まれてる（ステップＳ４／ＹＥＳ）ことが明らかである。ブザー音の設定は「なし」となっているため（ステップＳ７／ＮＯ）パネル上にサービスコールを表示して停止するだけで、ブザーは鳴らさない。
【００３７】
図４は、本発明の実施形態に係る画像読取装置の再起動防止の設定時間を自動的に設定する際の動作を示したフローチャートである。ユーザが装置を使用する時間帯は、使用頻度や時期、設置された場所や目的に左右されることが多く、機器設置時に時間帯の把握は行い難い。ほぼ終日使用される場合など、装置の稼動状況次第では、非稼動の時間帯を設定しないことが望ましい場合も存在する。本発明により、常に自動再起動の制御が有効になる時間帯を調整し、ユーザにとって最適な制御結果を得られることができる。
【００３８】
画像読取装置は、装置の異常（サービスコール）を検出し、自動で再起動する条件が整ったと判断する。画像読取装置は、設定された調査日数における装置の稼動状況を調査し、稼動していない時間帯を調べる（ステップＳ１０）。稼動していない時間帯で、最も長い時間帯を抽出する（ステップＳ１１）。稼動していない時間帯は、設定された時間よりも長いか確認する（ステップＳ１２）。短い場合は（ステップＳ１２／ＮＯ）、常に稼動していると判断し、自動再起動防止を「無効」とする（ステップＳ１３）。長い場合は（ステップＳ１２／ＹＥＳ）、稼動停止している時間帯が存在すると判断し、自動再起動防止を「有効」とする（ステップＳ１４）。稼動していない時間帯を元に、開始時間と終了時間を設定する（ステップＳ１５）。
【００３９】
本実施形態では、設定及び状況が例として以下のようになっていた場合の動作を具体的に考える。
（設定）
自動再起動    ：有効 (自動設定)
開始時間      ：23:00
終了時間      ：7:00
ブザー音      ：なし
（状況）
サービスコールの発生時刻                ：22:00
過去の何日間の稼動状況から判断するか    ：7日間
7日間で最も長い非稼動開始時間           ：21:00
7日間で最も長い非稼動終了時間           ：6:00
【００４０】
自動再起動は有効であるため、画像読取装置は、装置の異常（サービスコール）を検出し、自動で再起動する条件が整ったと判断する。画像読取装置は、設定された調査日数７日間における装置の稼動状況を調査し、稼動していない最も長い時間帯は、２１時から６時であると抽出する（ステップＳ１１）。一方、設定した時間は２３時から７時であるため、稼動していない時間帯が、設定された時間よりも長い（ステップＳ１２／ＹＥＳ）と判断される。したがって、稼動停止している時間帯が存在すると判断し、自動再起動防止を「有効」とする（ステップＳ１４）。したがって再起動は行わない。また、稼動していない時間帯を元に、開始時間と終了時間を設定する（ステップＳ１５）。
【図面の簡単な説明】
【００４１】
【図１】本発明の一実施形態に係る画像読取装置の概略図である。
【図２】本発明の一実施形態に係る画像読取装置全体の動作・制御を行う部分のブロック図である。
【図３】本発明の一実施形態に係る画像読取装置がサービスコール（装置の異常）を検知した場合の動作を示したフローチャートである。
【図４】本発明の一実施形態に係る画像読取装置の再起動防止の設定時間を自動的に設定する際の動作を示したフローチャートである。
【符号の説明】
【００４２】
１    自動原稿送り装置（ＡＤＦ）
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙装置
１２    第２給紙装置
１３    第３給紙装置
１４    縦搬送ユニット
１５    感光体
１６    搬送ベルト
１７    定着ユニット
１８    排紙ユニット
２０    制御部
２１    ＣＰＵ
２２    ＲＯＭ
２３    ＲＡＭ
２４    不揮発ＲＡＭ
２５    ＩＯ制御
３７    センサ
３８    負荷
３９    ネットワークコントロールユニット（ＮＣＵ）
４０    ファクシミリコントロールユニット（ＦＣＵ）
５０    読み取りユニット
５１    露光ランプ
５２    第１ミラー
５３    レンズ
５４    ＣＣＤイメージセンサ
５５    第２ミラー及び第３ミラー
５６    書き込みユニット
５７    レーザ出力ユニット
５８    結像レンズ
５９    ミラー
１００    フィニシャ
１０１    分岐偏向板
【図１】
2006352482.tif 000003
【図２】
2006352482.tif 000004
【図３】
2006352482.tif 000005
【図４】
2006352482.tif 000006